(57)【要約】【課題】画像形成装置本体とオプション装置の組み立て、設置作業を一人でも手間取ることなく安全で容易に行うことができる設置方法を提供しようとするものである。【解決手段】オプション装置を順次本体上に装着し一体的に構成された画像形成装置を、梱包手段に備えられる複数の係合手段を有する緩衝吸収部材を相互に組み合わせて回転移動を補助する部材として利用し、略１８０°回転させながら梱包手段から移動、所定の場所に設置するものである。【選択図】        図１
2004198609.tif 000002
【特許請求の範囲】
【請求項１】
画像形成機能を追加するオプション装置を装着して構成される画像形成装置において、本体を支持しうるオプション装置を本体上に装着後、一体的に構成された画像形成装置を略１８０°回転させて梱包手段から開放し、所定の場所に設置することを特徴とする画像形成装置の設置方法。
【請求項２】
画像形成機能を追加するオプション装置を装着して構成される画像形成装置を、略１８０°回転させて該画像形成装置を梱包手段から開放し設置する方法において、設置時の回転移動を補助する部材が前記梱包手段に備えられていることを特徴とする請求項１記載の画像形成装置の設置方法。
【請求項３】
前記画像形成装置を梱包手段から開放し、設置時の回転移動を補助する部材は、前記梱包手段に備えられる複数の梱包用緩衝吸収部材で構成されることを特徴とする請求項２記載の画像形成装置の設置方法。
【請求項４】
前記梱包手段に備えられる複数の梱包用緩衝吸収部材は、前記梱包手段からの着脱が可能であると共に、相互に組み合わせを可能とする係合手段を有することを特徴とする請求項２記載の画像形成装置の設置方法。
【請求項５】
前記梱包手段に備えられる複数の梱包用緩衝吸収部材は、前記画像形成装置に装着されるオプション装置の数に応じて回転移動を補助する組み合わせを可変すること特徴とする請求項２記載の画像形成装置の設置方法。
【発明の詳細な説明】
【０００１】
【発明の属する技術分野】
本発明は、両面給紙装置や大容量給紙装置などの画像形成機能を追加するオプション装置類を開梱時に装着して一体的に構成される画像形成装置の設置方法に関するものである。
【０００２】
【従来の技術】
近年、複写機、プリンター、ＦＡＸなどの画像形成装置は、多様化するユーザーニーズに答えるため、リーダー、両面給紙手段、大容量給紙手段、排紙処理手段等はオプション装置扱いとし、ユーザーが個々に合わせて選択し組み合わせて画像形成機能の充実を図ることが主流となっている。このため、本体はプリンター等の単体機能とし、必要なオプション装置等は搬入後に所定の場所で開梱し、画像形成装置と共に組み立てが行なわれるようになってきている。
【０００３】
例えば、図７（ａ），（ｂ），（ｃ）のように、本体１とオプション装置（ここでは、両面給紙手段７と給紙手段８）は設置場所で開梱され、先ず、キャスター８ｂが付いている給紙手段８の上に位置決めピン８ａに係合するように両面給紙手段７を載せ、最後に本体１の両側に設置された設置専用の把手９，１０を持ち上げながら、両面給紙手段７の位置決めピン７ａに係合するように載せる順序で設置が行われる。
【０００４】
【発明が解決しようとする課題】
ところが、オプション装置である両面給紙手段７や給紙手段８等は主に搬送関係の部品で構成されているため比較的軽量化されており、一人での設置が可能であるのに対して、本体１は感光体１１、定着器１２、内蔵された給紙手段１３等や図示しない電装関係の部品で構成され、中には８０ｋｇを越す製品もある。このため、設置手順書等には必ず２人以上で作業を行うように指示されており、ユーザーが一人で設置することは不可能である。従って、これらの画像形成装置の購入に際しては、設置のために複数以上の作業人員を要し、そのための設置工賃等が発生する場合が多い。また、複数人で本体を持ち上げキャスター８ｂによって移動し易い給紙手段８の位置決め突起８ａ等を気にしながらの作業の為、本体１側の把手９，１０形状不備や作業手順の不味さなどから、本体とオプション装置の間に指を挟むこと、手を滑らせ本体１を落下させて足に怪我をすること、重量物を持ち上げる際のギックリ腰、または、つまずきによる捻挫など、設置時に纏わる多くの事故例が報告されているという問題点がある。
【０００５】
本発明は上記問題点の解決を目的とするものであり、画像形成装置の本体とオプション装置との組み立て作業を手間取ることなく一人でも安全で容易に行うことができる設置方法を提供しようとするものである。
【０００６】
【課題を解決するための手段】
上記目的を達成するために、請求項１の発明では、画像形成機能を追加するオプション装置を順次本体上に装着し、一体的に構成された画像形成装置を略１８０°回転させながら梱包手段から移動し、所定の場所に設置することを特徴とするものである。
【０００７】
請求項２の発明では、請求項１において設置時の回転移動を補助する部材が前記梱包手段に備えられていることを特徴とするものである。
【０００８】
請求項３の発明では、請求項２において設置時の回転移動を補助する部材は、前記梱包手段に備えられる複数の梱包用緩衝吸収部材で構成されることを特徴とするものである。
【０００９】
請求項４の発明では、請求項２において前記梱包手段に備えられる複数の梱包用緩衝吸収部材は、前記梱包手段からの着脱が可能であると共に、相互に組み合わせを可能とする係合手段を有することを特徴とするものである。
【００１０】
請求項５の発明では、請求項４において前記梱包手段に備えられる複数の梱包用緩衝吸収部材は、前記画像形成装置に装着されるオプション装置の数に応じて回転移動を補助する組み合わせを可変することを特徴とするものである。
【００１１】
更にこれを要約すれば、以下の構成に集約できる。
【００１２】
（１）画像形成機能を追加するオプション装置を装着して構成される画像形成装置において、本体を支持しうるオプション装置を本体上に装着後、一体的に構成された画像形成装置を略１８０°回転させて梱包手段から開放し、所定の場所に設置することを特徴とする画像形成装置の設置方法。
【００１３】
（２）画像形成機能を追加するオプション装置を装着して構成される画像形成装置を、略１８０°回転させて該画像形成装置を梱包手段から開放し設置する方法において、設置時の回転移動を補助する部材が前記梱包手段に備えられていることを特徴とする前記（１）記載の画像形成装置の設置方法。
【００１４】
（３）前記画像形成装置を梱包手段から開放し、設置時の回転移動を補助する部材は、前記梱包手段に備えられる複数の梱包用緩衝吸収部材で構成されることを特徴とする前記（２）記載の画像形成装置の設置方法。
【００１５】
（４）前記梱包手段に備えられる複数の梱包用緩衝吸収部材は、前記梱包手段からの着脱が可能であると共に、相互に組み合わせを可能とする係合手段を有することを特徴とする前記（２）記載の画像形成装置の設置方法。
【００１６】
（５）前記梱包手段に備えられる複数の梱包用緩衝吸収部材は、前記画像形成装置に装着されるオプション装置の数に応じて回転移動を補助する組み合わせを可変すること特徴とする前記（２）記載の画像形成装置の設置方法。
【００１７】
【作用】
請求項１の発明によれば、重量物である画像形成装置を持ち上げることなく、オプション装置と画像形成装置本体が容易に位置決め固定され、一体的に構成された画像形成装置を回転させることで梱包手段から簡易に移動し、所定の場所に設置することができる。
【００１８】
請求項２の発明によれば、設置時に回転補助部材を支点として回転させる設置方法において、前記回転補助部材は、梱包手段に備えられる複数の着脱可能な梱包用緩衝吸収部材を利用することができる。また、相互に組み合わせて一体的に構成される構造を有することで、オプション装置の数に対応して画像形成装置の高さが変更される場合に、適切な支点位置が確保できるように前記回転補助部材の組み合わせを可変でき、更に簡易な設置作業を行うことができる。
【００１９】
【発明の実施の形態】
以下、本発明の設置方法を図に基づいて詳述する。
【００２０】
図１（ａ）は画像形成装置の輸送、保管形態の梱包状態を示す図であり、天地方向に分割される梱包箱６と梱包台２及び緩衝吸収部材３，４，５とで構成され、本体１は通常の使用状態とは天地が逆の状態で梱包台２上に載せられ梱包されている。図１（ｂ）は天地方向に分割される梱包箱６を取り去った状態であり、梱包台２上の画像形成装置本体１の周囲が開放状態になることを示している。この状態において本発明の具体的な設置手順について説明する。
【００２１】
図２（ａ）において、画像形成機能を充実させるオプション装置である両面給紙手段７及び給紙手段８（例えば、給紙カセット等）の順番で梱包台２上の画像形成装置本体１上部に順次装着する。両面給紙手段７、給紙手段８にはそれぞれ固定部材としての突起７ａ，８ａと、画像形成装置本体１及び両面給紙手段７の底部に上記突起７ａ，８ａに着脱自在に係合される図示しない係止孔がそれぞれ穿設され、図２（ｂ）で示すように想定された画像形成装置一式が梱包台２上で反転された状態で構成されるようになっている。
【００２２】
次に、本体一式を回転させる補助部材としての回転支台部を形成する手順を説明する。図３（ａ）において、梱包台２上の右側に簡易固定されている右緩衝吸収部材３を取り外し、向きを変えて梱包台２に形成された凹部２ａと前記右緩衝吸収部材の第二の係合部である凸部３ａとを改めて組み合わせることで左右方向の移動を抑えた簡易的な係合固定ができ回転支台部の土台が形成される。そして、図３（ｂ）のように、梱包台２上の左側に簡易固定されている左緩衝吸収部材４を取り外し、前記梱包台２上の右側に再固定された右緩衝吸収部材３の凹部３ｂに左緩衝吸収部材の凸部４ａを組み合わせて係合することで第一の回転支台部全体が形成され回転設置の準備ができたことになる。
【００２３】
次に、画像形成装置一式の回転設置手順について説明する。
【００２４】
図４（ａ）のように、一体化された画像形成装置一式（１，７，８）を左側に倒し前記回転支台として構成された左緩衝吸収部材４上に一旦載せ、ここを支点として画像形成装置一式を同一方向に回転させ、給紙手段８の一部が接地した状態（図４ｂ）にし、この接地した部分８ｃを支点として更に回転させることで画像形成装置一式が倒立し梱包部材から開放され設置が完了する（図４ｃ）。
【００２５】
設置後は使用した各緩衝吸収部材３，４は取り外しが可能なため、分解して保存するか、または、処分することが可能である。
【００２６】
図５は画像形成装置のオプション装置である給紙手段７が追加された場合の手順を示す略断図であり、図３（ｂ）で組み立てた回転補助部材である左緩衝吸収部材４の凹部４ｂに上緩衝吸収部材５の凸部５ａを組み合わせて係合することで回転支点部の高さを速やかに高くすることができる。これにより、オプション装置が追加され画像形成装置一式の高さが高くなっても、同梱された緩衝吸収部材を利用して回転し易い回転補助部材を容易に構成し効率のよい設置作業を行うようにしたものである。
【００２７】
図６ａ，図６ｂは本発明の第二の実施例を示すものであり、図６ａは工場出荷時の梱包向きを表し、図６ｂは設置場所近傍において梱包箱を反転させること示すものである。つまり、工場出荷時は通常に使用される向きで梱包され、輸送、保管、設置場所までの輸送がこの状態で行われ、設置場所近傍において初めて梱包箱を反転させて本発明の手順に従って開梱、設置するようにしたものである。このようなケースは、特に、本体内部に現像剤などが初めから設置されている場合など、長期間に反転された状態に置かれることで影響が出易い装置などに適用される。
【００２８】
【発明の効果】
請求項１の発明は、オプション装置を梱包箱に固定された本体の上に順次装着し、一体的に構成された画像形成装置を略１８０°回転させながら所定の場所に設置するため、重い本体を持ち上げることなく設置作業が可能となり、サービスマンまたはユーザーが単独でも安全に設置作業ができる。特に、固定された梱包台２上に置かれた固定された本体１の上に順次オプション類を載せていく手順のため、不安定なキャスター付き給紙手段８の上に順次載せる従来の作業手順より遥かに安全である。また、設置後は不要となる設置専用の把手部材９，１０などを特に用意する必要がなくなるため、本体のコストダウンや本体のダウンサイジング化が可能となるものである。
【００２９】
請求項２の発明では、請求項１において設置時の回転移動を補助する部材が前記梱包手段に備えられているため、設置時専用の部材を特に用意する必要がなくなり、コストアップすることなく資源の有効利用ができる。
【００３０】
請求項３の発明では、請求項２において設置時の回転移動を補助する部材は、前記梱包手段に備えられる複数の梱包用緩衝吸収部材で構成されるため、回転移動の際に本体側を傷をつけにくいこと。
【００３１】
請求項４の発明では、請求項２において前記梱包手段に備えられる複数の梱包用緩衝吸収部材は、前記梱包手段からの着脱が可能であると共に、相互に組み合わせを可能とする係合手段を有する構成としたため、前記回転移動補助部材の速やかな準備や後片ずけをすることができ、設置工数を大幅に短縮することができる。
【００３２】
請求項５の発明では、装着されるオプション装置の数に応じて画像形成装置の高さが変更される場合に、複数の梱包用緩衝吸収部材の組み合わせを追加し回転移動補助部材として適切な支点位置が確保できるように選択できるため、更に簡易な設置作業を行うことができるものである。
【図面の簡単な説明】
【図１】（ａ），（ｂ）  本発明である画像形成装置の梱包形態を示す略断図である。
【図２】（ａ），（ｂ）  本発明である画像形成装置のオプション装置の設置手順を示す略断図である。
【図３】（ａ），（ｂ）  本発明である回転補助部材の組み立て手順を示す図である。
【図４】（ａ），（ｂ），（ｃ）  本発明である画像形成装置全体の回転設置手順を示す略断図である。
【図５】本発明である画像形成装置のオプション装置が追加された場合の設置手順を示す略断図である。
【図６】（ａ），（ｂ）  本発明である画像形成装置の第二の実施形態である梱包形態を示す略断図である。
【図７】（ａ），（ｂ），（ｃ）  従来例である画像形成装置の設置手順を示す略断図である。
【符号の説明】
１  画像形成装置
２  梱包台
３  右緩衝吸収部材
４  左緩衝吸収部材
５  上緩衝吸収部材
６  梱包箱
７  両面給紙手段
８  給紙手段
９、１０  把手
１１  感光体
１２  定着器
１３  内蔵式給紙手段
１４  梱包箱（第二の実施例）
【図１】
2004198609.tif 000003
【図２】
2004198609.tif 000004
【図３】
2004198609.tif 000005
【図４】
2004198609.tif 000006
【図５】
2004198609.tif 000007
【図６】
2004198609.tif 000008
【図７】
2004198609.tif 000009